(57)【特許請求の範囲】
【請求項１】
下記の構成要素，即ち、
ａ）  前面に横長の開口（１２）を有するケース（１）。
ｂ）  ケース（１）の開口（１２）に対応する横長の開口（３１）を有し、ケース（１）内に取り付けられる操作部ケース（３）。
ｃ）  中心軸に沿って貫通孔（２９）が設けられ、端部に突起縁（２２、２３）を有する突起を備え、ケース（１）の開口（１２）及び操作部ケース（３）の開口（３１）内に左右スライド自在に挿入された操作ボタン（２）。
ｄ）  ケース（１）と、操作ボタン（２）の間に介挿され、操作ボタン（２）を常時中立位置に保持するよう弾性力を与える復元ばね（１３）。
ｅ）  操作ボタン（２）の貫通孔（２９）に、所定の移動範囲内で進退自在に挿入される押しボタンロッド（２４）。
ｆ）  操作ボタン（２）と、押しボタンロッド（２４）の間に介挿され、押しボタンロッド（２４）を外方に押し出すよう弾性力を与えるばね（２６）。
ｇ）  操作ボタン（２）の先端が相通される横長の開口（４１）と、左右一対のウインカスイッチ用の可動接点（５２、６２）を具備し、操作部ケース（３）内部に左右スライド自在に設けられるスライダ（４）。
ｈ）  スライダ（４）と操作部ケース（３）の間に設けられ、スライダ（４）に常時中立位置に向かう弾性力を及ぼす復元ばね（４６、４７）。
ｉ）  移動するスライダ（４）の可動接点（５２、６２）に選択的に接離し得る位置に設けられた固定接点（８４、８５）。
ｊ）  スライダ（４）が左右の移動終点にまで移動したとき、スライダ（４）をその移動終点にロックすると共に、押しボタンロッド（２４）が操作ボタン（２）内に押し込まれたとき、スライダ（４）のロックを解除し、中立位置に復させるスライダ制御手段。
を具備したモーターサイクルのウインカ制御スイッチ装置において、
スライダ制御手段が、下記の構成要素から成ることを特徴とする、上記のウインカ制御ス
イッチ装置。
記
Ａ）  操作ボタン（２）の左右スライドに応じて、接点部材（５、６）の何れか一方により選択的に導通される右左各一対のウインカ用接点（８５、８６）と、細長いシーソー部材収納溝（８２）とを有し、操作部ケース（３）の背面に取り付けられその背面開口を閉塞する裏蓋部材（８）。
Ｂ）細長いシーソー部材収納溝（８２）内に設けられる押圧ばね（７５）。
Ｃ）  前面側の両端部及び中心線の両側に合計４個の制御突起（７１、７２、７６、７７）を有し、裏蓋部材（８）のシーソー部材収納溝（８２）内に、押圧ばね（７５）の弾性力により、操作ボタン（２）の突起の先端に押し付けられた状態で、常時は揺動可能に、かつ操作ボタン（２）が押圧されたときは押圧ばね（７５）の弾性力に抗して押し込み可能に収納され、  操作ボタン（２）の左右スライドに応じて、スライダ（４）が左右何れかに移動したときは、その制御突起（７１、７６又は７２、７７）によりスライダ（４）をその移動位置にロックし、操作ボタン（２）が中立位置に戻った後も、スライダ（４）をその移動位置に保持して、対応するウインカ接点（８４又は８５）の導通を維持すると共に、  押しボタンロッド（２４）が押されたときは、その先端に押されて、収納溝（８２）内に押し込まれ、これにより上記スライダ（４）のロックが解除され、スライダ（４）が中立位置に復帰するよう構成された、シーソー部材（７）。
【発明の詳細な説明】
【０００１】
【発明の属する技術分野】
本発明はモーターサイクルのウインカ制御スイッチ装置に関する。
【０００２】
【従来の技術】
生活水準の向上に伴い、消費者は製品に対して快適性、利便性、安全性を強く要求するようになっていることから、人口密度が日増しに増加する今日において、とりわけ大都市部では、モーターサイクルは、場所を取らず駐車が便利であるという長所により、有効かつ便利で安全に人類の「行動」の問題を解決するものとして、重要な地位を占めている。このことから、モーターサイクル業者は消費者の購買欲を刺激するため、モーターサイクルの各部部材に対して思考を凝らし改良を行うことで、製品の品質を向上し、更に利便性、実用性および安全性を増進することで、消費者を捉えようとしており、同時に、これはまた産業の進歩を刺激する動力にもなっている。本発明はすなわちモーターサイクルのウインカ制御スイッチに対して改良を行うものである。まず従来の同類製品に対して検討してみる。
尚、本明細書で、前後左右上下と言うときは、図1に示したケース1の正面に向かって、前後左右上下と言うものとする。
【０００３】
現在、市販されているモーターサイクルのウインカ制御スイッチは、すでに初期の左、中間、右の三段階スライドスイッチから単に左、右のみスライドの二段階式にまで進歩しており、ウインカの点滅を制御するとともに、プッシュボタン式で電源回路を遮断するようになっている。つまり、プッシュボタンを押し下げなければ、ウインカは引続き点滅を続けるようになっている。これは運転者の不用意な操作でウインカが消灯してしまうことを防止するために設けられたものであって、従来の製品の構造は図5に示すとおり、このタイプのウインカはホーンと一電子部材を共用している。
図5を参照されたい。改良後のウインカスイッチはケース内に一つの電子部品を設けるとともに、ウインカとブザーとの電線をそれぞれはんだ溶接するものである。
当該電子部品はスライダAを備え、スライダAの上面の一対の接点は、左右スライドの際にちょうど左または右ウインカの電気回路を導通状態にさせる。スライダAはテーパ状斜面A1を形成する。ウインカスイッチの押し軸BはビスB1によってねじ止めされると共に、二つのストッパB2はテーパ状斜面A1に当接する。押し軸BはビスB1によって取り付けられると共に、二つのストッパB2がテーパ状斜面A1に当接することで、スライダAをスライドさせる。押し軸Bの底部は鋼球B3と復元ばねB4であり、両者は収納空間Ｃ内に収納されるとともに、鋼球B3を押し軸Bの底部凹面B5内に当接させる。ホーン部分は本発明の範疇とは関係ないので、記載しない。
【０００４】
図6に示すように、押し軸Bが操作されたとき、押し軸BのストッパB2はテーパ状斜面A1に当接し、スライダAをスライド移動させウインカ回路を導通状態にする。図7に示すように、導通を切断しウインカを停止させたい場合、押し軸Bを押下する。図８に示すように、押し軸Bを鋼球B3とばねB4に押圧させた後に、同じく図９に示すように、押し軸BのストッパB2がスライダAを中間位置にスライド復帰させるとともに、電流回路が遮断される。そして、このウインカ制御装置の四大欠点は以下のとおりである。
【０００５】
まず、この材料の組合せは全体を摩耗、破損しやすくし、接触不良を招く。押し軸は鉄材であり、その底部の鋼球、復帰ばねの収納空間はプラスチックスであるため、頻繁に操作すると、押し軸が収納空間を摩耗させ徐々に拡大し、接触不良を招く。
【０００６】
次に、押し軸はわずかに一本のビスのみで取り付けられており、ある程度の時間使用すると、ビスは弛緩しやすくなり、作動の不正確を招く。
【０００７】
そして、全体を組付ける際、ケースの接合度が悪く、隙間が残り、雨水の浸透に遭うと電線配線のショートを招く。
【０００８】
最後に、ウインカとホーンとは一つの電子部品を共用するため、その一つが故障したときには全体を分解しなければならず、点検・修理が不便である。
【０００９】
従来のモーターサイクルのウインカ制御装置には以上のような欠点がある。
【００１０】
【発明が解決しようとする課題】
本発明は従来製品に対して改良を施すものである。
このウインカ制御スイッチ装置は、以下の構成要素を具備する。
ａ）  前面に横長の開口を有するケース。
ｂ）  ケースの開口に対応する横長の開口を有し、ケース内に取り付けられる操作部ケース。
ｃ）  中心軸に沿って貫通孔が設けられ、端部に突起縁を有する突起を備え、ケースの開口及び操作部ケースの開口内に左右スライド自在に挿入された操作ボタン。
ｄ）  ケースと、操作ボタンの間に介挿され、操作ボタンを常時中立位置に保持するよう弾性力を与える復元ばね。
ｅ）  操作ボタンの貫通孔に、所定の移動範囲内で進退自在に挿入される押しボタンロッド。
ｆ）  操作ボタンと、押しボタンロッドの間に介挿され、押しボタンロッド（２４）を外方に押し出すよう弾性力を与えるばね。
ｇ）  操作ボタンの先端が相通される横長の開口と、左右一対のウインカスイッチ用の可動接点を具備し、操作部ケース内部に左右スライド自在に設けられるスライダ。
ｈ）  スライダと操作部ケースの間に設けられ、スライダに常時中立位置に向かう弾性力を及ぼす復元ばね。
ｉ）  移動するスライダの可動接点に選択的に接離し得る位置に設けられた固定接点。
ｊ）  スライダが左右の移動終点にまで移動したとき、スライダをその移動終点にロック
すると共に、押しボタンロッドが操作ボタン内に押し込まれたとき、スライダのロックを
解除し、中立位置に復させるスライダ制御手段。
而して、本願発明の目的は、上記ｊ項のスライダ制御手段を改良し、部品数が少なく、
組立て、補修が容易であるのみならず、全体がプラスチック製であるため、磨耗、破損し難く、寿命が長いモーターサイクル用のウインカ制御スイッチ装置を提供することである。
以下、図面により詳細な説明を行う。
【００１１】
【課題を解決するための手段】
叙上の本発明の目的は、上記の如き構成を有するウインカ制御スイッチ装置において、
スライダが左右の移動終点にまで移動したとき、スライダをその移動終点にロックすると共に、押しボタンロッドが操作ボタン内に押し込まれたとき、スライダのロックを解除し、中立位置に復させるスライダ制御手段を改良し、これを下記の構成要素AないしC、即ち、
A）  操作ボタンの左右スライドに応じて、接点部材の何れか一方により選択的に導通される右左各一対のウインカ用接点と、細長いシーソー部材収納溝とを有し、操作部ケースの背面に取り付けられその背面開口を閉塞する裏蓋部材。
B）  細長いシーソー部材収納溝内に設けられる押圧ばね。
C）  前面側の両端部及び中心線の両側に合計４個の制御突起を有し、裏蓋部材のシーソー部材収納溝内に、押圧ばねの弾性力により、操作ボタンの突起の先端に押し付けられた状態で、常時は揺動可能に、かつ操作ボタンが押圧されたときは押圧ばねの弾性力に抗して押し込み可能に収納され、
操作ボタンの左右スライドに応じて、スライダが左右何れかに移動したときは、その制御突起によりスライダをその移動位置にロックし、操作ボタンが中立位置に戻った後も、スライダをその移動位置に保持して、対応するウインカ接点の導通を維持すると共に、
押しボタンロッドが押されたときは、その先端に押されて、収納溝内に押し込まれ、これにより上記スライダのロックが解除され、スライダが中立位置に復帰するよう構成された、シーソー部材。
とにより構成することによって達成される。
【００１２】
図１を参照されたい。
適宜に開口12を設けたケース1の内部に、中空で、前面に開口31を有する操作部ケース3を設け、開口12には操作ボタン2を挿入する。
ケース1と操作ボタン2の互いの密着面には各々ばね収納溝11、21を設けるが、これは、この溝内に復元ばね13を装着し、これにより操作ボタン2を中立位置に保持するためのものである。
操作ボタン2は貫通孔29を有する突起28を有し、突起28の中間部には左右に突起縁22、23が設けられる。貫通孔29にはばね26と押しボタン24の脚部を挿入し、操作ボタン2の突起を上下に貫通しているピンガイド用の長孔を通して押しボタン24のピン孔にピン25を打ち込み、押しボタン24の脚が操作ボタン2の貫通孔29内で一定距離スライドできるように押しボタン24を装着する。操作ボタン2をケース1の開口12の内部に挿入し、コの字形ストッパ27を突起縁22、23に掛かるよう取り付け、操作ボタン2をケース1に一定距離左右にスライド自在に取り付ける。
【００１３】
操作部ケース3は、前後に貫通する開口を有する中空のケースであり、その前面には開口31が設けられ、内壁の両短辺中段に各々位置決め突起32、33が形成され、内部にはスライダ4が収納される。
スライダ4は、長方形状の枠体であり、その両外側の側面には、操作部ケース3の位置決め突起32、33に対応する位置に、各々凹孔44、45が設けられ、当該凹孔44、45と位置決め突起32、33の間にはそれぞれ々復元ばね46、47が設けられる。
更に、凹孔44、45の一側面には、シーソー部材７の制御突起71、72、の係止に供される凹面を成した切り欠き441、451が設けられる。
又更に、スライダ4には２組の貫通孔48、48及び49、49が設けられ、貫通孔48、48及び49、49の間には各々３つの溝が設けられ、中間の溝にはいずれにも小型ばね53、63が装着されている。左側の貫通孔49、49の中間の孔はスライダ4の摩擦抵抗を低減するためのものであり、またこの孔を貫通し、小鋼球64が配置されている。
【００１４】
２組の貫通孔48、48及び49、49の両側面には、コの字形部材5、6の係止爪51、61の係止に供される段差面（図示しない）が各々形成され、かつ各コの字形部材5、6の外側面には、別に接点突起52、62が設けられ、小型ばね53、63の弾性力により、裏蓋部材8上の左右のウインカ接点84、85と互いに接触する。
裏蓋部材8の両端に設けた係合爪81、81を操作部ケース3の両側に設けた係合スリット34、34に係合することによって、操作部ケース3と裏蓋部材8は一体のケースを形成する。
また裏蓋部材8には、細長いシーソー部材7を収容するシーソー部材収納溝82が設けられ、その中央部には、シーソー部材7の中央に突出する支点部73及びその上下に設けられた位置決めピン74、74が嵌め込まれるシーソー部材支持孔83が設けられ、ここに押圧ばね75を介してシーソー部材71が収納される。
【００１５】
シーソー部材7は、このシーソー部材収納溝82の内部で、ばね75によりその支点部73が弾性的に支持されるため、その支点部73を中心に揺動可能である。又、その際、位置決めピン74、74は、シーソー部材7の位置決め作用をする。
シーソー部材7の前面には、両端部と、中心線の両側の合計4箇所に制御突起71、72及び76、77を設ける。これらの制御突起には、制御作動を円滑にするため、面取りを施すことが望ましい。
図2ないし5に示すように、このシーソー部材7の制御突起76、77は、操作ボタン2と共に左右に移動する押しボタンロッド24の先端に接しており、操作ボタン2の左右動により、シーソー運動を強制されるものである。
又シーソー部材7は押圧ばね75の弾性力でスライダ４に押し付けられており、そのスライダ4を一時的に固定する。
【００１６】
図2は、ウインカ制御装置が中立状態にあるときの状態を示す。
シーソー部材7の４つ制御突起71、72及び76、77は各々異なる機能を有する。
シーソー部材7の両端に配置された制御突起71、72は、操作ボタン2が左方向（右方向でも同様）に操作されたとき、突起縁23がスライド面43に当接し、スライダ4が左方向にスライドし、凹孔44側壁上の係止部材441（図３を参照のこと）を制御突起71の左に移動させ、さらに押圧ばね75の弾性力の作用により、シーソー部材7の制御突起71を上方向に移動させ係止部材441へ係止することで、その効果を奏する。
また、シーソー部材の制御突起73、74は、操作ボタン2の押しボタンロッド24を押し下げたとき、押しボタン24の端面241と互いに接触する面であり、端面241の当接により、シーソー部材7を裏蓋部材8中に押し込み、スライダ4の中立復帰の目的を果たす。このとき、制御突起73、74の２つの斜面76、77は、操作した操作ボタン2を復元ばね13により、速やかに定位置に復帰させ、かつ操作ボタン2の22の右方向当接により、制御突起上の斜面761を、下方向に押圧し裏蓋部材8内に押し込むことで、制御突起71と係止部材441（図３を参照のこと）との分離、スライダ4の復帰を促進するとともに、他方向のウインカの直接的な切換を直に行い、そして操作ボタン2中の押しボタンロッド24を押すことなく、速やかなウインカの切換を可能とする。
【００１７】
組立ての際は、まず操作ボタン2に、押しボタン24を取り付け、その組立体をケース1の開口12に挿入するとともに、コの字形ストッパ27で固定し、操作部ケース3をケース1内にねじ止めすると共に、操作部ケース3内にスライダ4を配置し、凹孔44、45と位置決め突起32、33の間に復元ばね46、47を配置する。２組の貫通孔48、48及び49、49部分に各々小型ばね53、63およびコの字部材5、6を設ける。そのうち、貫通孔49の中溝には別に小鋼球64を挿入し、また裏蓋部材8のシーソー部材収納溝82およびシーソー部材支持孔83に押圧ばね75を介して、シーソー部材7を取り付けた後、裏蓋部材8両側の系合爪81を、操作部ケース3両短壁の係合スリット34、34中に嵌入することにより、完成品、つまり、本発明の図２に示す構造の通りのウインカ制御装置が得られる。
【００１８】
【発明の作用】
図2はウインカの未点灯状態を示す断面図、図3は操作ボタン2を左方向にスライド移動させた状態（右方向も同様）を示す断面図である。
操作ボタン2を左方向に移動させたとき、スライダ4は操作ボタン2の左突起縁22へのスライド力を受け、その左方に示す作動線上にまでスライド移動される。このとき凹孔側壁上の係止部材441はすでに制御突起71の左まで移動していることから、さらに押圧ばね75の弾性力の作用により、シーソー部材7上の係止突起71を上方向に係止部材441に係止させ、そしてスライダ4を一時的に位置決めすると共に、コの字形部材6上の突起接点62（図1を参照されたい）が裏蓋部材8上の２つの左ウインカ接点85に接触し、導通状態が構成され、左ウインカを点滅させる。
【００１９】
ウインカ表示をキャンセルしたい場合、図４に示すとおり、操作ボタン2の押しボタンロッド24を押し、その下端241をシーソー部材7の制御突起73に当接させると、制御突起73が押圧力を受け、シーソー部材7が下降し、スライダの凹孔44の壁側が係止部材441に係止する。シーソー部材7の制御突起71の係止がないことから、スライダ4はコの字部材6（図1を参照されたい）と共に復元ばね47の弾性力作用を受け、作動前の初期状態に復帰する。
【００２０】
【発明の効果】
上記を総合すると、本発明の主な特徴および長所を以下のように総括できる。まず、ケース1は密封ケースであるので、よって雨が降っても雨水が浸入することによるショートの不具合を招くことはない。
【００２１】
つぎに、各作動要素はいずれもプラスチックスであるので、潤滑油を併せ用いれば、摩擦が少なく、部品の作動は的確である。
ウインカとホーンなどその他ボタンは各自独立した配線であるので、故障の際でも、単に当該部分に対して点検、修理するのみで足り、全体を分解する必要はなく、便利である。
最後に、全体は大きく２つのユニット（ケースのプッシュボタンとケース）とに分かれるので、破損した場合には、直に交換することができ、その内部の小型部品を交換する必要はないため、組立てが容易である。
【００２２】
尚、本発明の構成は叙上の実施例と示した構成に限定されるものでなく、各構成要素の形状、構成は自由に設計変更し得るものであって、本発明は叙上の説明から当業者が容易に想到し得る総ての変更例を包摂するものである。
【図面の簡単な説明】
【図１】本発明に係るウインカ制御装置の立体分解図である。
【図２】本発明に係るウインカ制御装置の組立て概略図である。
【図３】本発明に係るウインカ制御装置の動作説明図（一）である。
【図４】本発明に係るウインカ制御装置の動作説明図（二）である。
【図５】従来技術に係るウインカ制御装置の概略図である。
【図６】従来技術に係るウインカ制御装置の動作説明図（一）である。
【図７】従来技術に係るウインカ制御装置の動作説明図（二）である。
【図８】従来技術に係るウインカ制御装置の動作説明図（三）である。
【図９】従来技術に係るウインカ制御装置の動作説明図（四）である。
【符号の説明】
1          ケース
11        ばね収納溝
12      開口
13            復元ばね
2            操作ボタン
21            ばね収納溝
22            突起縁
23            突起縁
24            押しボタンロッド
25            ピン
26            ばね
27        コの字形ストッパ
28            傾斜面
29            貫通孔
3        操作部ケース
31            開口
32        位置決め突起
33            位置決め突起
34            係合スリット
4        スライダ
41            開口
44            凹孔
45        凹孔
441        係止部材
46        復元ばね
47            復元ばね
48            貫通孔
49            貫通孔
5            コの字形部材
６            コの字形部材
51            係止爪
61            係止爪
52            突起接点
62            突起接点
53            小型ばね
63            小型ばね
64            小鋼球
7            シーソー部材
71            制御突起
72            制御突起
73            制御突起
74            ピン
75            押圧ばね
76            制御突起
761        斜面
8            裏蓋部材
81            係合爪
82            シーソー部材収納溝
83            シーソー部材支持孔
84            左ウインカ接点
85            右ウインカ接点
【図１】
0003853276.tif 000002
【図２】
0003853276.tif 000003
【図３】
0003853276.tif 000004
【図４】
0003853276.tif 000005
【図５】
0003853276.tif 000006
【図６】
0003853276.tif 000007
【図７】
0003853276.tif 000008
【図８】
0003853276.tif 000009
【図９】
0003853276.tif 000010